(57)【要約】      （修正有）【課題】水をアルカリ性小分子団水に転化するアルカリ性転化装置を提供する。【解決手段】アルカリ性転化装置は、接続台の内ネジ孔とボトル水の外ネジヤマや水容器の外ネジヤマを回して連接し、接続台のアルカリ性ろ過材容器を、ボトル水内或いは水容器内に進入させる。【選択図】図３
0003181220.tif 000002
【実用新案登録請求の範囲】
【請求項１】
水をアルカリ性小分子団水に転化するために用いるアルカリ性転化装置は、接続台を備え、
該接続台は、上、下に貫通した槽孔を備え、該槽孔下方には、内ネジ孔が連通し、しかも該接続台の内ネジ孔上端には、接触接続面が隣接し、これによりアルカリ性ろ過材容器を接合し、
該アルカリ性ろ過材容器には、複数の穿孔を分布させて設置し、複数のアルカリ性ろ過材を収容して設置し、しかも該アルカリ性ろ過材容器の上方には、フィルターを接合することを特徴とする水をアルカリ性小分子団水に転化するために用いるアルカリ性転化装置。
【請求項２】
前記接続台により接合するアルカリ性ろ過材容器に収容設置する複数のアルカリ性ろ過材は、アルカリ性鉱石、微量元素鉱石、トルマリン、或いはエネルギー鉱石より選択することを特徴とする請求項１に記載の水をアルカリ性小分子団水に転化するために用いるアルカリ性転化装置。
【請求項３】
前記接続台の上方にはさらに、接続部を設置し、蓋体を接合することを特徴とする請求項１に記載の水をアルカリ性小分子団水に転化するために用いるアルカリ性転化装置。
【請求項４】
前記蓋体は、連接部を備え、該接続台の接続部と、螺合方式で接合することを特徴とする請求項３に記載の水をアルカリ性小分子団水に転化するために用いるアルカリ性転化装置。
【請求項５】
前記接続台の内ネジ孔には、螺合方式で、上方に外ネジヤマを備える收納容器を接合することを特徴とする請求項１に記載の水をアルカリ性小分子団水に転化するために用いるアルカリ性転化装置。
【請求項６】
前記接続台の内ネジ孔上端に隣接する接触接続面はさらに、環状壁を備え、これによりアルカリ性ろ過材容器を接合することを特徴とする請求項１に記載の水をアルカリ性小分子団水に転化するために用いるアルカリ性転化装置。
【考案の詳細な説明】
【技術分野】
【０００１】
本考案は水をアルカリ性小分子団水に転化するために用いるアルカリ性転化装置に関し、特にボトル水或いは水を入れた容器に設置し、これにより水を注ぐ瞬間に、アルカリ性小分子団水に転化することができる水をアルカリ性小分子団水に転化するために用いるアルカリ性転化装置に関する。
【背景技術】
【０００２】
一般に見られる市販のボトル水は酸性水である。
家庭の飲料水をＲＯ逆浸透膜管を通してろ過しても、その水はやはり酸性或いは弱酸性である。そのため、人体にとって、長期的な飲用には適さないばかりか、酸性体質に傾き易くなり、尿酸、痛風、ガン、及び多くの文明病が、酸性体質を原因として生み出されてしまう。
本考案は、従来の水の上記した欠点に鑑みてなされたものである。
【先行技術文献】
【特許文献】
【０００３】
【特許文献１】実開平７−９４９２号公報
【考案の概要】
【考案が解決しようとする課題】
【０００４】
本考案が解決しようとする第一の課題は、ボトル水或いは水容器に便利に設置でき、水を注ぐ時に、瞬間的にアルカリ性小分子団水に転化し、該水を飲用することで、人体の新陳代謝に有益で、酸性体質を中和でき、中性或いは弱アルカリ性体質に変えることができ、こうして尿酸値が高くなることによる痛風等の病苦が発生しにくくなる水をアルカリ性小分子団水に転化するために用いるアルカリ性転化装置を提供することである。
【０００５】
本考案が解決しようとする第二の課題は、使用しない時には、接続台は收納容器に便利に収納され、蓋体を螺合すれば、携帯或いは收納に便利である水をアルカリ性小分子団水に転化するために用いるアルカリ性転化装置を提供することである。
【課題を解決するための手段】
【０００６】
上記課題を解決するため、本考案は、水をアルカリ性小分子団水に転化するために用いるアルカリ性転化装置は、接続台を備え、該接続台は、上、下に貫通した槽孔を備え、該槽孔下方には、内ネジ孔が連通し、しかも該接続台の内ネジ孔上端には、接触接続面が隣接し、これによりアルカリ性ろ過材容器を接合し、該アルカリ性ろ過材容器には、複数の穿孔を分布させて設置し、複数のアルカリ性ろ過材を収容して設置し、しかも該アルカリ性ろ過材容器の上方には、フィルターを接合することを特徴とする水をアルカリ性小分子団水に転化するために用いるアルカリ性転化装置である。
【考案の効果】
【０００７】
本考案の水をアルカリ性小分子団水に転化するために用いるアルカリ性転化装置によれば、ボトル水或いは水容器に便利に設置でき、水を注ぐ時に、瞬間的にアルカリ性小分子団水に転化し、該水を飲用することで、人体の新陳代謝に有益で、酸性体質を中和でき、中性或いは弱アルカリ性体質に変えることができ、こうして尿酸値が高くなることによる痛風等の病苦が発生しにくくなり、また使用しない時には、接続台は收納容器に便利に収納され、蓋体を螺合すれば、携帯或いは收納に便利である。
【図面の簡単な説明】
【０００８】
【図１】本考案の実施例の断面拡大模式図である。
【図２】本考案の実施例の立体拡大模式図である。
【図３】本考案の実施例をボトル水に設置する様子を示す断面模式図である。
【図４】本考案の実施例がさらに蓋体と收納容器を備える様子を示す立体分解図である。
【図５】本考案の実施例がさらに蓋体と收納容器を備える様子を示す立体図である。
【考案を実施するための形態】
【０００９】
以下に図面を参照しながら本考案を実施するための最良の形態について詳細に説明する。
【実施例】
【００１０】
図１〜５に示すように、本考案は水をアルカリ性小分子団水に転化するために用いるアルカリ性転化装置は、ボトル水３（図３参照）、或いは水を入れた容器内の水を、瞬間的にアルカリ性小分子団水に転化するために用いる。
接続台１（図１、２参照）は、上、下に貫通した槽孔１１を備え、該槽孔１１下方には内ネジ孔１２が連通する。
【００１１】
該内ネジ孔１２により、該ボトル水３の容器本体の外ネジヤマ３１（図３参照）、或いは他の外ネジヤマを備える水容器（図示なし）と回して連接する。
しかも、該接続台１の内ネジ孔１２上端には、接触接続面１２１を隣接し、該接触接続面１２１はさらに、環状壁１２１１を備え、溶接或いは他の連接方式により、アルカリ性ろ過材容器１０を接合する。
【００１２】
前記アルカリ性ろ過材容器１０には、複数の穿孔１０１を分布させて設置し、複数のアルカリ性ろ過材２を収容して設置する。
しかも、該アルカリ性ろ過材容器１０の上方には、溶接或いは緊密圧迫、係合等の連接方式で、フィルター１０２を接合する。
【００１３】
該アルカリ性ろ過材２は、アルカリ性鉱石、微量元素鉱石、トルマリン、或いはエネルギー鉱石から選択する。
【００１４】
前記接続台１の上方にはさらに、接続部１３を設置し、螺合方式、係合方式、或いは他の連接方式を通して、蓋体４を接合する（図３参照）。例えば、該蓋体４は、連接部４１を備え、しかも該連接部４１は内ネジ孔１２で、該接続台１の接続部１３は外ネジヤマ３１で、こうして相互に螺合方式により接合することができる。
【００１５】
前記蓋体４（図４、５参照）は、連接部４１（図３、４参照）を備え、例えば、内ネジ孔１２は、該接続台１の接続部１３と、螺合方式で接合される。
【００１６】
收納容器５は、内収容槽５１を備え（図４参照）、接続台１を収納し、しかも該收納容器５の上方には、外ネジヤマ５２を備え（図４参照）、該接続台１の内ネジ孔１２と、螺合方式により接合する。
【００１７】
上記した構成部材の組成により、該接続台１は、該ネジ孔１２と該ボトル水３（図３参照）の外ネジヤマ３１、或いは水を入れた水容器（図示なし）の外ネジヤマを、回して連接し、こうして該接続台１のアルカリ性ろ過材容器１０は、該ボトル水３内或いは水容器内に進入する。
これにより、該ボトル水３内の水、或いは水容器の水が注がれる時、該アルカリ性ろ過材容器１０内のアルカリ性ろ過材２に迅速に浸透し、水は瞬間的にアルカリ性小分子団水に転化される。
【００１８】
よって、該水を飲用することで、人体の新陳代謝に有益で、酸性体質を中和でき、中性或いは弱アルカリ性体質に変えることができ、こうして尿酸値が高くなることによる痛風等の病苦が発生しにくくなる。
【００１９】
上記を総合すると、本考案は以下の効果を備える。
１．接続台１によりボトル水３或いは水を入れた容器に便利に設置でき、こうして水がボトル水或いは水容器から注がれる時に、アルカリ性ろ過材２により、水は迅速に、アルカリ性小分子団水に転化され、酸素、カルシウム、エネルギー、鉱物質、微量元素を豊富に含み、しかも小分子水は毎秒２００００回に達する共振周波数を発生できるため、水の活性を強化でき、飲用後は人体に進入し、迅速に各細胞、血液、リンパ液、器官中に浸透し、酸性体質を中和し、中性或いは弱アルカリ性体質に変えることができる。
【００２０】
こうして尿酸値が高くなることによる痛風等の病苦が発生しにくくなり、水が帯びるイオン化鉱物質及び微量元素は、体内酵素の活性化を助け、免疫システムの起動をサポートし、体内の有害物質を代謝を通して体外に排出し、浄化効果を達成し、体内システムの作動を増強することができる。
【００２１】
２．使用しない時には、接続台１は收納容器５に便利に収納し、蓋体４を螺合すれば、携帯或いは收納に便利である。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
１  接続台
１０  アルカリ性ろ過材容器
１０１  穿孔
１０２  フィルター
１１  槽孔
１２  内ネジ孔
１２１  接触接続面
１２１１  環状壁
１３  接続部
２  アルカリ性ろ過材
３  ボトル水
３１、５２  外ネジヤマ
４  蓋体
４１  連接部
５  收納容器
５１  内収容槽
【図１】
0003181220.tif 000003
【図２】
0003181220.tif 000004
【図３】
0003181220.tif 000005
【図４】
0003181220.tif 000006
【図５】
0003181220.tif 000007